(57)【要約】【課題】筐体に大きな衝撃が加わった場合でも、光学鏡筒ユニットを保護できるようにする。【解決手段】正面カバー１３の収容空間Ｓには、光学鏡筒ユニット４０の鏡筒本体４１が収容されている。鏡筒本体４１の外周縁部と収容空間Ｓの内周縁部との間には、所定の隙間が設けられている。鏡筒本体４１の前後方向の両側面には、弾性支持部材４５が配設されており、正面カバー１３と背面板５７との間に挟み込まれた鏡筒本体４１が収容空間Ｓ内で弾性支持される。鏡筒本体４１の外周縁部の左上角部及び左下角部と、収容空間Ｓの内周縁部の右下角部とには、筐体１１が落下したときの衝撃を吸収する衝撃吸収部材４７が設けられている。【選択図】図５
2018169447.tif 000002
【特許請求の範囲】
【請求項１】
内部に収容空間を有する筐体と、該筐体の収容空間内に収容された屈曲光学系の光学鏡筒ユニットとを備えた撮像装置であって、
前記光学鏡筒ユニットの撮像方向から見て、該光学鏡筒ユニットの外周縁部と前記収容空間の内周縁部との間には、所定の隙間が設けられ、
前記光学鏡筒ユニットの撮像方向の両面側に設けられ、該光学鏡筒ユニットを前記収容空間内で弾性支持する弾性支持部材と、
前記光学鏡筒ユニットの外周縁部の少なくとも一部、又は前記収容空間の内周縁部の少なくとも一部に設けられ、該光学鏡筒ユニットが該収容空間内で移動したときに該光学鏡筒ユニットに加わる衝撃を吸収する衝撃吸収部材とを備えたことを特徴とする撮像装置。
【請求項２】
請求項１において、
前記衝撃吸収部材は、前記光学鏡筒ユニットの角部近傍、又は前記筐体の収容空間の角部近傍に設けられていることを特徴とする撮像装置。
【発明の詳細な説明】
【技術分野】
【０００１】
本発明は、撮像装置に関するものである。
【背景技術】
【０００２】
従来より、デジタルカメラのコンパクト化を実現するために、屈曲光学系の光学鏡筒ユニットを備えた撮像装置が知られている（例えば、特許文献１参照）。
【０００３】
特許文献１には、光学鏡筒ユニットの前面側とフロントカバーとの間に弾性部材を配置する一方、後面側に設けられた補強部材とメインシャーシとの間にクッション部材を配置して、光学鏡筒ユニットを弾性支持した構成が開示されている。これにより、光学鏡筒ユニットの前後方向に加わる衝撃を緩和するようにしている。
【０００４】
さらに、補強部材の突起部が、メインシャーシの横長の係合穴に対して、上下及び左右において所定のクリアランスが確保された状態で嵌合されている。これにより、弾性部材が過剰に弾性変形するような状況では、突起部と係合穴とが当接することで、光学鏡筒ユニットの上下及び左右方向への過剰な変位を規制するようにしている。
【先行技術文献】
【特許文献】
【０００５】
【特許文献１】特開２０１３−２２８５３５号公報
【発明の概要】
【発明が解決しようとする課題】
【０００６】
しかしながら、特許文献１の発明は、光学鏡筒ユニットの上下及び左右方向への過剰な変位を規制することを目的とするものであり、落下等の大きな衝撃から光学鏡筒ユニットを十分に保護することができないという問題がある。
【０００７】
具体的に、デジタルカメラを落下させ、弾性部材が過剰に弾性変形した場合には、突起部と係合穴とが当接するので、落下時の衝撃が、突起部から補強部材を介して光学鏡筒ユニットに対して直接伝達されてしまうこととなる。
【０００８】
本発明は、かかる点に鑑みてなされたものであり、その目的は、筐体に大きな衝撃が加わった場合でも、光学鏡筒ユニットを保護できるようにすることにある。
【課題を解決するための手段】
【０００９】
本発明は、内部に収容空間を有する筐体と、該筐体の収容空間内に収容された屈曲光学系の光学鏡筒ユニットとを備えた撮像装置を対象とし、次のような解決手段を講じた。
【００１０】
すなわち、第１の発明は、前記光学鏡筒ユニットの撮像方向から見て、該光学鏡筒ユニットの外周縁部と前記収容空間の内周縁部との間には、所定の隙間が設けられ、
前記光学鏡筒ユニットの撮像方向の両面側に設けられ、該光学鏡筒ユニットを前記収容空間内で弾性支持する弾性支持部材と、
前記光学鏡筒ユニットの外周縁部の少なくとも一部、又は前記収容空間の内周縁部の少なくとも一部に設けられ、該光学鏡筒ユニットが該収容空間内で移動したときに該光学鏡筒ユニットに加わる衝撃を吸収する衝撃吸収部材とを備えたことを特徴とするものである。
【００１１】
第１の発明では、光学鏡筒ユニットの外周縁部と収容空間の内周縁部との間に所定の隙間が設けられている。また、光学鏡筒ユニットの外周縁部の少なくとも一部、又は収容空間の内周縁部の少なくとも一部に衝撃吸収部材が設けられる。
【００１２】
このような構成とすれば、筐体を落下させる等して筐体に大きな衝撃が加わり、光学鏡筒ユニットが収容空間内で移動して筐体に衝突した場合でも、衝撃吸収部材によって、光学鏡筒ユニットに加わる衝撃を吸収することができる。これにより、光学鏡筒ユニットの撮像光束に影響を与えることなく、光学鏡筒ユニットを保護することができる。
【００１３】
なお、光学鏡筒ユニットの外周縁部と収容空間の内周縁部との間に所定の隙間を設けている理由は、例えば、光学鏡筒ユニットと収容空間との間に衝撃吸収部材を挟み込んで、常時、光学鏡筒ユニットに対して押圧力が作用した状態とすると、その押圧力によって鏡筒本体が歪んでしまい、撮像性能が低下するおそれがあるからである。
【００１４】
そのため、本発明では、筐体の落下時のように、筐体に大きな衝撃が加わる場合にのみ、衝撃吸収部材によって光学鏡筒ユニットを保護するようにしている。
【００１５】
第２の発明は、第１の発明において、
前記衝撃吸収部材は、前記光学鏡筒ユニットの角部近傍、又は前記筐体の収容空間の角部近傍に設けられていることを特徴とするものである。
【００１６】
第２の発明では、光学鏡筒ユニットの角部近傍、又は筐体の収容空間の角部近傍に衝撃吸収部材を設けたことで、光学鏡筒ユニットの外周縁部の中でも剛性の高い部分で衝撃を吸収することができる。
【発明の効果】
【００１７】
本発明によれば、筐体に大きな衝撃が加わった場合でも、衝撃吸収部材によって、光学鏡筒ユニットに加わる衝撃が吸収され、光学鏡筒ユニットを保護することができる。
【図面の簡単な説明】
【００１８】
【図１】本実施形態に係る撮像装置の構成を示す背面図である。
【図２】光学鏡筒ユニットを正面側から見たときの斜視図である。
【図３】光学鏡筒ユニットを背面側から見たときの斜視図である。
【図４】筐体の収容空間内に光学鏡筒ユニットを配設した状態を示す側面断面図である。
【図５】筐体の収容空間内に光学鏡筒ユニットを配設した状態を示す背面図である。
【発明を実施するための形態】
【００１９】
以下、本発明の実施形態を図面に基づいて説明する。なお、以下の好ましい実施形態の説明は、本質的に例示に過ぎず、本発明、その適用物或いはその用途を制限することを意図するものではない。
【００２０】
図１に示すように、撮像装置１０は、デジタルカメラとして構成されている。撮像装置１０は、樹脂材料で形成された筐体１１と、筐体１１の背面側に設けられた表示パネル２０と、表示パネル２０に並んで配置された複数の操作ボタン１５と、レンズ４２（図２参照）が筐体１１の正面側に露出するように筐体１１内部に配設された屈曲光学系の光学鏡筒ユニット４０とを有する。
【００２１】
本実施形態では、撮像装置１０の厚み方向を前後方向とする。また、背面側から見て、表示パネル２０が配置されている側を左側、操作ボタン１５が配置されている側を右側とする。
【００２２】
筐体１１は、表示パネル２０及び操作ボタン１５が設けられた背面側の背面カバー１２と、レンズ４２が設けられた正面側の正面カバー１３とを組み合わせることで構成され、背面カバー１２と正面カバー１３との四隅を締結ネジ１８によって締結することで、左右方向に長い直方体形状に形成されている。
【００２３】
正面カバー１３における背面カバー１２との合わせ面には、全周にわたって延びる係合凸部１３ａが形成されている（図５参照）。背面カバー１２には、係合凸部１３ａに対応して全周にわたって延びる係合凹溝（図示省略）が設けられており、正面カバー１３の係合凸部１３ａと背面カバー１２の係合凹溝とを係合させることで、筐体１１の密閉性を高めることができる。
【００２４】
表示パネル２０は、例えば、液晶パネルであり、撮影時にレンズ４２で写した被写体像を表示したり、撮影後にＳＤカード等の記録媒体に記録された画像データを表示するためのものである。表示パネル２０の表面は、表示パネル２０よりも背面側に配設された保護ガラス１６によって覆われている。
【００２５】
操作ボタン１５は、背面カバー１２の右側寄りの位置に複数配置されている。操作ボタン１５は、撮影時には、ストロボ発光モード、ＡＦモード、静止画モード、動画モード等の切り替えに使用される。また、画像再生時には、表示パネル２０に表示する画像データの切り替え、画像データの削除、メニュー画面の操作等に使用される。
【００２６】
光学鏡筒ユニット４０は、レンズ４２、絞り機能を有するシャッタ、撮影された光学像を電気信号に変換する撮像センサ等を備えている（図示省略）。
【００２７】
図２及び図３に示すように、光学鏡筒ユニット４０は、縦長で略長方体状の鏡筒本体４１と、鏡筒本体４１の前面上部に設けられたレンズ４２と、鏡筒本体４１から配索された複数のフレキシブルプリント配線板４３とを備えている。複数のフレキシブルプリント配線板４３は、図示しない回路基板のコネクタに接続される。
【００２８】
鏡筒本体４１の前面には、４つの弾性支持部材４５と、２つのフローティング支持部材４６とが設けられている。弾性支持部材４５は、板状のゴム材で構成され、鏡筒本体４１の前面における、左右両側の上部寄りの位置と、左側の下部寄りの位置と、右側の上下方向の略中央位置よりも下部寄りの位置との４箇所に配設され、両面テープや接着剤等によって鏡筒本体４１に貼り付けられている。
【００２９】
フローティング支持部材４６は、鏡筒本体４１の前面から前方に突出するボス部４６ａの先端に取り付けられた円筒状のゴム材で構成されている。フローティング支持部材４６は、鏡筒本体４１の前面における、左側の上下方向の略中央位置よりも下部寄りの位置と、右側の上下方向の略中央位置よりも上部寄りの位置との２箇所に配設されている。
【００３０】
鏡筒本体４１の背面には、４つの弾性支持部材４５が設けられている。弾性支持部材４５は、板状のゴム材で構成され、鏡筒本体４１の背面における、左右両側の上部寄りの位置と、左側の下部寄りの位置と、右側の上下方向の略中央位置よりも下部寄りの位置との４箇所に配設され、両面テープや接着剤等によって鏡筒本体４１に貼り付けられている。
【００３１】
鏡筒本体４１の外周縁部には、３つの衝撃吸収部材４７が設けられている。衝撃吸収部材４７は、板状のゴム材で構成され、鏡筒本体４１の左上角部の上面と、左上角部の左側面と、左下角部の下面との３箇所に配設され、両面テープや接着剤等によって鏡筒本体４１に貼り付けられている。
【００３２】
図４及び図５に示すように、筐体１１の正面カバー１３には、収容空間Ｓが設けられている。正面カバー１３の内面には、背面側に向かって立設する４つの取付座５５と、光学鏡筒ユニット４０のフローティング支持部材４６が嵌め込まれる円筒状の２つのフローティング支持座５６とが設けられている。
【００３３】
光学鏡筒ユニット４０は、収容空間Ｓ内における４つの取付座５５の間に収容されている。そして、光学鏡筒ユニット４０は、フローティング支持座５６にフローティング支持部材４６が嵌め込まれた状態でフローティング支持され、撮像装置１０を落下させたときの衝撃を緩和できるようになっている。
【００３４】
光学鏡筒ユニット４０の背面側には、鏡筒本体４１を覆うように背面板５７が配設されている。背面板５７は、締結ネジ６０によって取付座５５に締結されている。これにより、鏡筒本体４１の前面に設けられた弾性支持部材４５は、正面カバー１３と鏡筒本体４１との間で挟み込まれる一方、鏡筒本体４１の背面に設けられた弾性支持部材４５は、鏡筒本体４１と背面板５７との間に挟み込まれ、鏡筒本体４１が弾性支持される。なお、フローティング支持部材４６についても、鏡筒本体４１と正面カバー１３との間に挟み込まれており、弾性支持部材４５として機能している。
【００３５】
正面カバー１３の収容空間Ｓの内周縁部、具体的には、収容空間Ｓの右下角部に設けられた取付座５５には、鏡筒本体４１の右下角部に対向する対向面５５ａが設けられている。対向面５５ａには、板状のゴム材で構成された衝撃吸収部材４７が配設されている。衝撃吸収部材４７は、両面テープや接着剤等によって対向面５５ａに貼り付けられている。
【００３６】
正面カバー１３における鏡筒本体４１の衝撃吸収部材４７に対向する位置には、その一部が膨出した膨出部５８が設けられている。具体的には、膨出部５８は、収容空間Ｓの内周縁部の左下角部の下面と、左上角部の上面及び左側面とから、収容空間Ｓ内に向かってそれぞれ膨出している。
【００３７】
光学鏡筒ユニット４０の外周縁部と、収容空間Ｓの内周縁部との間には、撮像方向（前後方向）から見て、所定の隙間が設けられている。この隙間は、光学鏡筒ユニット４０の移動量を考慮して、十分に大きく確保することが考えられるが、撮像装置１０の小型化の要求を満たす必要もある。
【００３８】
そこで、本実施形態では、光学鏡筒ユニット４０が収容空間Ｓ内で移動可能な程度の隙間に設定しておき、撮像装置１０が落下する等して筐体１１に大きな衝撃が加わった場合に、その衝撃を衝撃吸収部材４７で吸収できるようにしている。
【００３９】
具体的に、撮像装置１０を落下させる等して、筐体１１に大きな衝撃が加わった場合には、光学鏡筒ユニット４０が収容空間Ｓ内で大きく移動することとなる。このとき、光学鏡筒ユニット４０の前後方向への移動は、弾性支持部材４５によって規制され、鏡筒本体４１が筐体１１に衝突することはない。
【００４０】
一方、光学鏡筒ユニット４０が上下方向や左右方向に移動した場合には、鏡筒本体４１の左上角部や左下角部に設けている衝撃吸収部材４７が収容空間Ｓ内の膨出部５８に当接するか、又は、鏡筒本体４１の右下角部が収容空間Ｓ内の右下角部に設けている衝撃吸収部材４７に当接することとなる。
【００４１】
これにより、光学鏡筒ユニット４０が収容空間Ｓ内で移動して筐体１１に衝突した場合でも、衝撃吸収部材４７によって、光学鏡筒ユニット４０に加わる衝撃を吸収することができ、光学鏡筒ユニット４０を保護することができる。
【００４２】
《その他の実施形態》
前記実施形態については、以下のような構成としてもよい。
【００４３】
本実施形態では、鏡筒本体４１の外周面における左上角部の上面及び左側面と、左下角部の下面とに衝撃吸収部材４７を設ける一方、収容空間Ｓの右下角部に衝撃吸収部材４７を設けるようにしたが、この形態に限定するものではなく、任意の位置に、衝撃吸収部材４７を設けるようにしてもよい。
【産業上の利用可能性】
【００４４】
以上説明したように、本発明は、筐体に大きな衝撃が加わった場合でも、光学鏡筒ユニットを保護できるという実用性の高い効果が得られることから、きわめて有用で産業上の利用可能性は高い。
【符号の説明】
【００４５】
１０    撮像装置
１１    筐体
４０    光学鏡筒ユニット
４５    弾性支持部材
４６    フローティング支持部材（弾性支持部材）
４７    衝撃吸収部材
Ｓ    収容空間
【図１】
2018169447.tif 000003
【図２】
2018169447.tif 000004
【図３】
2018169447.tif 000005
【図４】
2018169447.tif 000006
【図５】
2018169447.tif 000007